(57)【特許請求の範囲】
【請求項１】
波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、
前記集塵板と前記吊ビームとの当接部分に前記洗浄水を流す隙間を形成するスペーサを備えることを特徴とする湿式電気集塵装置の流水機構。
【請求項２】
波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、
前記集塵板と前記吊ビームとの当接部分に前記洗浄水を流す隙間を形成するスペーサと、前記集塵板と吊ビームにより形成される開放口を遮蔽する遮蔽板を備え、前記遮蔽板の前記集塵板側の縁辺と前記集塵板面との間に前記洗浄水の排出口を形成したことを特徴とする湿式電気集塵装置の流水機構。
【請求項３】
波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、
前記集塵板と前記吊ビームとの当接部分に前記洗浄水を流す隙間を形成するスペーサと、前記洗浄水供給源と前記集塵板との間に介装されたシンクを備えるとともに、前記シンクの底面には前記隙間にあわせて形成された排出口を備えることを特徴とする湿式電気集塵装置の流水機構。
【請求項４】
前記排出口は前記集塵板の水平断面にあわせて波状に形成された波状排出口であることを特徴とする請求項３記載の湿式電気集塵装置の流水機構。
【請求項５】
前記隙間において、前記隙間に供給された前記洗浄水を集塵板の吊ビーム当接部分の下部に整流できる整流手段を備えることを特徴とする請求項１乃至４のいずれかに記載の湿式電気集塵装置の流水機構。
【発明の詳細な説明】
【技術分野】
【０００１】
本発明は湿式電気集塵装置の集塵板に効率よく洗浄水を供給する流水機構に関する。
【背景技術】
【０００２】
火力発電所など重油や石炭を燃料とするボイラからの排ガスに対しては、乾式電気集塵装置で塵埃を除去した後に、湿式脱硫装置で硫黄酸化物を除去し、最終段の湿式電気集塵装置で排ガス中に残存するミストや塵埃を除去している。湿式電気集塵装置では通常、流水機構として集塵板の上方にスプレーノズルを配設し、スプレーノズルから噴射した洗浄水によって、集塵板に捕集したミストや塵埃を洗い流す。
【０００３】
しかしながら、このような湿式電気集塵装置の流水機構においては、スプレーノズルから噴射した洗浄水の水滴が被処理ガスの気流に巻き込まれ、集塵板の表面に安定した水膜を形成できない問題点がある。特に被処理ガスをケーシングの下部から導入し、上部に排出するようにした上向流式の湿式電気集塵装置においては、被処理ガスの上向流がスプレーノズルから噴射した洗浄水の水滴と真っ向にぶつかる。このため、噴射した洗浄水の水滴の相当量が被処理ガスに同伴してケーシングの上部から排出される現象が顕著になり、集塵板に対する有効な水膜形成をより一層、難しくしている。
【０００４】
特許文献１および２には、湿式電気集塵装置におけるこのような流水機構の問題点を解決するための方策が開示されている。
さらに我々は、従来のスプレーノズルに代わり、スリットノズルを用いて集塵板端面の上から集塵板に水を噴射すると、特許文献１および２のように被処理ガスの気流の影響をあまり受けずに集塵板表面に安定した水膜を形成するのみならず、従来の６割程度の流量で集塵板に水膜を形成でき、さらに後段へのミスト飛散量を１／８以下に削減できるとの知見を得た。
【特許文献１】特開２００２−２２４５８８号公報
【特許文献２】特開２００１−１９０９８２号公報
【発明の開示】
【発明が解決しようとする課題】
【０００５】
一方、最近の湿式電気集塵装置の集塵板は剛性確保のため、垂直方向に折れ目を有する矢板構造を採用することが一般的であり垂直方向から見ると端面は直線ではなく、腹部と脇部が連続した台形形状を有している。この場合、端面は直線ではないため、集塵板両面から吊ビームによって固定すると集塵板の腹部、脇部そして吊ビームを輪郭とする開放口が形成されることとなるが、このような開放口から集塵板へ洗浄水を供給しても濡れ性が確保されていることが望ましい。しかし、特許文献１および２の場合は集塵板が矢板構造の場合には適用できない。そして、スプレーノズルおよびスリットノズルを用いて矢板構造の集塵板上端部から水を供給しても、集塵板面上にかからずにそのまま開放口から集塵板下部に落下する洗浄水が大半となり洗浄水を無駄に消費するばかりか、吊ビームから放電電極側に水が漏れ、このとき被処理ガスを高速で流すと漏れた水によりスパークが発生し電極間において荷電電圧がかかりにくくなる問題が発生する。また、腹部のボルト締結部は前記集塵板と吊ビームが当接しているため、その真下の部分は集塵板の濡れ性が劣ることになるが、これにより集塵板腹部に水膜を形成することが困難となり、集塵板の洗浄効率が低下するばかりか、濡れた部分と乾いた部分の境界は腐食しやすいため、集塵板の寿命を縮めることとなる。
【０００６】
そこで本発明は上記問題点を解決し、スリットノズルから噴射される洗浄水が吊ビームをつたって放電電極側に漏れず、かつ集塵板全面を濡らす湿式電気集塵装置における流水機構および流水方法を提供することを目的とする。
【課題を解決するための手段】
【０００７】
上記目的達成のため、本発明に係る湿式電気集塵装置の流水機構は、波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、前記集塵板と前記吊ビームとの当接部分に前記洗浄水を流す隙間を形成するスペーサを備えることを特徴としている。
【０００８】
また本発明は、波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、前記集塵板と前記吊ビームとの当接部分に前記洗浄水を流す隙間を形成するスペーサと、前記集塵板と吊ビームにより形成される開放口を遮蔽する遮蔽板を備え、前記遮蔽板の前記集塵板側の縁辺と前記集塵板面との間に前記洗浄水の排出口を形成したことを特徴としている。
【０００９】
さらに本発明は、波状に屈曲した集塵板と、屈曲端面を上下として前記集塵板を縦にして当接固定する吊ビームと、前記集塵板の上から洗浄水を供給して集塵板を濡らす洗浄水供給源からなる湿式電気集塵装置の流水機構において、前記集塵板と前記吊ビームとの当接部分に前記洗浄水を流す隙間を形成するスペーサと、前記洗浄水供給源と前記集塵板との間に介装されたシンクを備えるとともに、前記シンクの底面には前記隙間にあわせて形成された排出口を備えることを特徴としている。
【００１０】
前記排出口は前記集塵板の水平断面にあわせて波状に形成された波状排出口であることを特徴としている。
本発明によって形成される前記隙間において、前記隙間に供給された前記洗浄水を集塵板の吊ビーム当接部分の下部に整流できる整流手段を備えることを特徴としている。
【発明の効果】
【００１１】
本発明にかかる湿式電気集塵装置の流水方法および流水機構によれば、集塵板と吊ビームとの間に隙間を設けることで、洗浄水の届きにくい矢板構造の集塵板の腹の部分にも充分に洗浄水を行き渡らせることができ、また前記隙間に整流手段を配設することにより、集塵板の腹の部分でボルト−ナット止めされたボルトの直下の部分にも充分に洗浄水を行き渡らせることができる。さらに、本発明のように集塵板に沿って排出口を形成しつつ開放口を遮蔽する遮蔽板を用いること、および集塵板の水平断面にあわせて波状に形成された波状排出口を備えるシンクを集塵板の上に配設することにより、洗浄水が集塵板にかからずにそのまま落下することを防ぐのみらならず、噴射された洗浄水が吊ビームをつたって集塵電極側に漏れることを大幅に防ぐことができ、被処理ガスを高速で流してもスパークが発生しにくく、電極間に荷電電圧を充分に与えることができる。これらのことから本発明によれば湿式電気集塵装置における洗浄水の利用効率および集塵板の濡れ特性、ひいては湿式電気集塵装置の集塵能力、及び寿命を大幅に向上させることができる。
【発明を実施するための最良の形態】
【００１２】
本発明に係る湿式電気集塵装置の流水機構および流水方法の最良の実施形態について図面を用いて説明する。
本実施形態が適用される湿式電気集塵装置１０は図１に示すように、集塵板１２、吊ビーム１４、放電電極１８、給水ポンプ２０、スリットノズル２４から構成されている。放電電極１８は湿式電気集塵装置１０のケーシングに固定され、湿式電気集塵装置１０に入ってきたガス流に含まれる塵埃にコロナ放電により電荷を与えるものである。集塵板１２は電荷が与えられた塵埃を放電電極１８との間に発生する電界を利用して集塵するものであり、一つの放電電極に対して２つの集塵板が配設され、２つの集塵板１２は放電電極１８を中央に挟んで互いに向き合って配設されている。また集塵板１２は剛性確保のため腹部１２ａと脇部１２ｂからなる水平断面が連続した台形状に屈曲した矢板構造を有し、折れ目を垂直方向に向け、集塵板１２の屈曲した端面を上下として配設されている。吊ビーム１４は湿式電気集塵装置１０のケーシングに固定され、集塵板１２を固定するものである。従って集塵板１２は吊ビーム１４を介してケーシングに固定されることになる。そして、一つの集塵板１２に対して４つの吊ビーム１４が配設され、集塵板１２の上端および下端において集塵板１２の両面から集塵板１２を挟み込み、吊ビーム１４の上端部を集塵板１２の上端部と合わせる、若しくは吊ビーム１４の上端部を集塵板１２の上端部より高くして、集塵板１２の腹部１２ａの中間で一対の吊ビーム１４の間隔よりも長いボルト１６を用いて、集塵板１２を縦にして一対の吊ビーム１４と集塵板１２をボルト−ナット止めにより固定している（図２参照）。このとき集塵板１２の上端および下端において、２つの吊ビーム１４は矢板構造の集塵板１２の脇部１２ｂにより形成される一定の幅をもちつつ互いに平行に配設されるとともに、集塵板１２と吊ビーム１４により囲まれた台形状の水平断面をもつ開放口２８が形成され、開放口２８の内部にはボルト１６が貫通している（図２参照）。
【００１３】
給水ポンプ２０はスリットノズル２４に洗浄水２６を供給するものであり、スリットノズル２４とは配管２２によって接続されている。スリットノズル２４は洗浄水２６の供給源で集塵板１２に洗浄水２６を噴射するものであり、スリットノズル２４のライン状の噴射口からは均一に洗浄水２６が噴射できる構造となっている。そしてスリットノズル２４の幅は集塵板１２の幅と同じ寸法であり、スリットノズル２４は集塵板１２の真上で、真上から見て集塵板１２の端面と整合させ、集塵板１２と一定の間隔を空けて配設されている。また洗浄水２６は集塵板１２に集塵された塵埃を除去するものである。
【００１４】
以上の構成からなる湿式電気集塵装置において、給水ポンプ２０を作動させ、スリットノズル２４から洗浄水２６を噴射した場合、洗浄水２６は集塵板１２上部にある一対の吊ビーム１４により囲まれた領域に噴射されることになる。しかし、この場合、スリットノズル２４から噴射され供給された洗浄水２６のうち、集塵板１２を濡らす洗浄水は一部にとどまり、大部分は開放口２８から下方に流れ、いわゆるじゃじゃ漏れ状態となる。さらに集塵板１２と吊ビーム１４は集塵板１２の腹部１２ａでボルト１６によりボルト−ナット止めされているため、集塵板１２の腹部１２ａの部分では濡れ性が劣ることになる。
【００１５】
この問題を解決するために、本実施形態においては以下のような構成をとる。
第１実施形態は、上記構成のほか、さらに整流板３０、遮蔽治具３２により構成されている。整流板３０はバンド状若しくは矩形の細板であり、後述のように集塵板１２の腹部１２ａと吊ビーム１４との当接面に洗浄水２６を流す隙間３８を形成できるほどの厚みを有している。遮蔽治具３２は図３に示すように一枚の板を折り曲げたような構造をもち、遮蔽板３２ａ、遮蔽板支持部３２ｂ、吊ビーム引掛部３２ｃにより構成されている。遮蔽板３２ａは開放口２８を遮蔽するとともに、遮蔽板３２ａの集塵板１２側の縁辺と集塵板１２との間に洗浄水２６を前記集塵板１２に排出するスリット状の排出口３６が形成できる形状を有している。また、遮蔽板３２ａの集塵板１２側が低くなるように遮蔽板支持部３２ｂに傾斜して接続する。吊ビーム引掛部３２ｃは遮蔽治具３２側面から見てＬ字型形状をしており、吊ビーム引掛部３２ｃの端面と遮蔽板支持部３２ｂの上端面とで垂直に接続され、吊ビーム引掛部３２ｃの端面と遮蔽板支持部３２ｂの接続により下向きに開口したコの字の引掛部分を形成し、コの字部分の内側の空間の幅は吊ビーム１４の厚みよりやや大きい寸法を有している。遮蔽板支持部３２ｂは矩形形状を有し、その幅は吊ビーム引掛部３２ｃの幅と同一で、遮蔽板３２ａの幅の広い方の底辺よりやや狭く、また長さは遮蔽治具３２を開放口２８に挿入して固定したときに開放口２８内を貫通するボルト１６と遮蔽板３２ａとが干渉しない程度の寸法を有している。遮蔽板３２ａは上記構成を有するため吊ビーム１４にはめこむだけで済み、取り付けが容易である。
【００１６】
図５に示すように、吊ビーム１４と集塵板１２の腹部１２ａとで固定するボルト１６を一旦緩めて両者の間に整流板３０と同程度の厚さの隙間を設け、前記ボルトを中央に挟んでボルト位置よりやや低い位置に一端を置き、下向きに逆ハの字になるように一対の整流板３０を前記隙間に挿入したのち前記ボルト１６を再び締め、これを全ての前記ボルト１６の周囲で行う。
【００１７】
遮蔽治具３２は集塵板１２と吊ビーム１４により形成される開放口２８の個数と同一の個数用意し、整流板３０は前記開放口２８ごとに２つ用意する。そして、図６に示すように、遮蔽板３２ａを下側にして、遮蔽治具３２を前記開放口２８に挿入し、前記コの字部分に吊ビーム１４の上端を挿入して、遮蔽治具３２は吊ビーム１４にはめ込んで固定して、これを全ての前記開放口２８ごとに行う。なお図６に示すように、集塵板１２の左右両端においては洗浄水のもれを防ぐため遮蔽治具３２にあらたに仕切り版３２ｄを配設する。
【００１８】
図６に示すように、遮蔽治具３２を上記のように吊ビーム１４に固定することにより、前記開放口２８において遮蔽板３２ａを底面とし、集塵板１２の腹部１２ａ、及び脇部１２ｂを側面として、洗浄水を貯留するシンク３４が形成され、シンク３４の底には遮蔽板３２ａ、集塵板１２の腹部１２ａ、及び脇部１２ｂにより囲まれ、一定の幅をもつ排出口３６が形成される。また、図６に示すように整流板３０を上記のように固定することにより、集塵板１２の腹部１２ａと吊ビーム１４との間に整流板３０の厚みに相当する隙間３８が形成される。
【００１９】
以上の構成のもと、スリットノズル２４から集塵板１２へ洗浄水２６を噴射すると、洗浄水２６はシンク３４と隙間３８に供給されることになる。シンク３４に供給された洗浄水２６はシンク３４に貯留されるとともに、シンク３４底部にある排出口３６から排出される。このとき、遮蔽治具３２の遮蔽板３２ａは集塵板１２側が低くなるように遮蔽板保持部３２ｂに傾斜して接続されているので、排出口３６から排出された洗浄水２６は遮蔽板３２ａ下面をつたって吊ビーム１４側に漏れることはなく、排出口３６から排出された洗浄水２６は集塵板１２の腹部１２ａ、及び脇部１２ｂの排出口３６側を濡らすことになる。またシンク３４に貯留した洗浄水２６の一部は左右両となりの隙間３８に排出され、左右両となりの集塵板１２の腹部１２ａを濡らすことになる。そして全ての前記開放口２８にシンク３４を形成したのちスリットノズル２４から洗浄水２６を噴射することにより、結果的に腹部１２ａの裏側と脇部１２ｂ全体を濡らすことができる。一方、隙間３８に噴射された洗浄水２６は整流板３０の整流作用を無視すると、腹部１２ａの表側を、ボルト１６の直下１〜２メートルの領域を除いて濡らすことが可能となる。しかし、隙間３８には整流板３０には整流作用があり、整流板３０の厚み方向の端面に捕捉された洗浄水２６は前記端面に従ってボルト１６の直下の部分にまで導かれるため、結果的に腹部１２ａ全体を濡らすことができる。したがって、整流板３０と遮蔽板３２をもちいることにより集塵板１２全面を濡らすことができる。
【００２０】
本実施形態において、集塵板１２を矢板構造としているが、矢板構造は集塵板の剛性を確保するための構造であり、剛性を確保する構造であれば、他の構造でもよく、例えばコの字型が連結したような板の構造等の、波状に屈曲された構造でもよい。このとき遮蔽治具３２はそれぞれの構造に合わせて排出口３６を形成できるように、遮蔽板３２ａの形状等を設計すればよい。
【００２１】
第１実施形態では遮蔽板３２ａはボルト１６より上部にくるように固定されているが、第２実施形態ではボルト１６より下部にくるように固定する。すなわち、図８および図９に示されるように、遮蔽板保持部３２ｂの中央部にボルト１６を通すボルト穴を開け、開放口２８に遮蔽治具３２を挿入して吊ビーム１４のボルト穴と遮蔽板保持部３２ｂのボルト穴を合わせて、ボルト１６により吊ビーム１４と集塵板１２とのボルト−ナット止めを行うとともに、遮蔽板保持部３２ｂと吊ビームをボルト−ナット止めする。このとき吊ビーム引掛部３２ｃは吊ビーム１４と干渉する場合は切除する。これにより遮蔽板３２ａはボルト１６より下部にくるように固定される。これによりシンク３４と排出口３６が形成される。上記構成は遮蔽治具を固定するナットを新たに必要とし、ボルト１６を挿通し直す作業が必要な分煩雑となるが、ボルト１６より下に遮蔽板３２ａがあるため、ボルト１６から吊ビーム１４につたって外に漏れる洗浄水２６を遮蔽して集塵板１２に排出するので、集塵板１２の濡れ特性がさらに向上する。
【００２２】
第１および第２実施形態においては、遮蔽治具３２を用いて開放口２８ごとにシンク３４を形成しているが、第３実施形態として以外の構成も可能である。すなわち、図１０、１１に示すように、２つの吊ビーム１４の間にはめこむことができる矩形シンク４２を用意し、前記矩形シンク４２の底面には集塵板１２の水平断面に合わせて波状排出口４４が形成されている。波状排出口４４は集塵板１２と吊ビーム１４との間に介装されたスペーサにより形成された隙間３８の真上を通過しており、波状排出口４４は前記隙間３８にあわせて形成され、これを包含した波状の形態を有している。スリットノズル２４から矩形シンク４２に洗浄水２６を噴射すると矩形シンク４２に洗浄水２６が貯留されるとともに波状排出口４４から洗浄水２６が排出され、排出された洗浄水２６は集塵板１２の端面に供給され、集塵板１２の開放口２８側および隙間３８側の側面に流れていき、結果的に集塵板１２全体を濡らすことができる。ただし波状排出口４４から排出された洗浄水２６が集塵板１２端面で飛び散り、結果的にじゃじゃ漏れにならないように波状排出口４４と集塵板１２との間隔は狭くする必要がある。第３実施形態において矩形シンク４２は必ずしも吊ビーム１４の間にはめ込む必要はなく、シンク４２は矩形である必要もないが、じゃじゃ漏れすることなく底面に波状排出口４４を形成できる形態である必要がある。ただし排ガスとの干渉を避けるため、放電電極１８側にはみ出さないようにすることが望ましい。
【００２３】
本実施形態において、整流板３０の角度が浅い場合（垂直に近い場合）は洗浄水２６を腹部１２ａの中央に導くことはできず、逆に角度が深い場合（水平に近い場合）は洗浄水２６を腹部１２ａの中央に導くことはできるが、整流板３０の直下の部分に洗浄水２６が流れてこないため、実際に洗浄水２６を流しながら、腹部１２ａの中央及び整流板３０の直下の部分に洗浄水２６が来るように整流板３０の角度調整を行う必要がある。
【００２４】
また本実施形態において、整流板３０はスペーサとしてのみならず、洗浄水を整流する機能を有しているが、スペーサと整流手段を分離して独立に機能させる構成をとってもよい。整流手段は本実施形態のように整流板３０を用いるほかに、図示しない網を用意し、前記網の中央を弛ませて、中央がボルト１６の真下の集塵板の腹部１２ａに接するように網の両端を固定することによっても実施できる。一方、スペーサは集塵板１２の腹部１２ａと吊ビーム１４との間に洗浄水を流す隙間を形成できるものであればよく、ボルト１６にスペーサとして座金４６若しくは図示しないワッシャを介装し、これを集塵板１２の腹部１２ａとそれに当接する吊ビーム１４との間に介在させてボルト締めを行うことにより隙間を形成してもよい。
【００２５】
整流手段は集塵板１２に対してその位置を固定できるものである必要がある。整流手段の固定は直接集塵板１２に接着するほかに、第４実施形態として図１２に示されるように整流板３０をワッシャに下向きに逆ハの字になるように溶接あるいは接着するようにして整流手段付ワッシャ５０を形成する。また設置個所から洗浄水２６の整流を適切に行うため脚５０ｂを追加して整流手段の長さを調整する（図１３、１４参照）。そして、整流手段付ワッシャ５０を集塵板１２と吊ビーム１４の間にくるようにボルト１６に介装することによっても実施できる（図１５参照）。
【００２６】
さらに、第５実施形態として図１６に示すようにワッシャの下半分を切除し、脚を接続した整流用半割ガイド５２により実施することができる。これは下半分が開口しているため、この開口部分からボルト１６をはめこむことができ、取り付けの際にはボルト１６を一旦緩めて締め直すだけで済み、挿通し直す手間を省くことができる。また、図１７、図１８に示すように整流用半割ガイド５２の脚５２ａを集塵板１２と吊ビーム１４の当接面の間に挿入して隙間３８が形成できるように、整流用半割ガイド５２を矩形シンク４２の内壁に接着若しくはボルト止めすることもできる。このときワッシャ４８を整流用半割ガイド５２と吊ビーム１４の間にくるようにボルト１６に介装しておく必要がある。
【００２７】
一方、第６実施形態のように吊ビーム１４の集塵板１２の当接面に垂直方向に洗浄水２６を通す溝４０を複数穿ってもよい（図１９参照）。このとき当接面で溝のない部分がスペーサとして機能することになる。このとき整流板３０の設置は、遮蔽板３２ａの上端を吊ビーム１４の下端若しくはその近傍で整流板３０を集塵板１２に接合させる、或いは溝４０によってできた隙間に整流板３０を挿し込むことにより行う。この変形例は溝を掘る工程が必要となるためその分コストがかかるが、新たにスペーサを用意する必要はなく、また、この変形例を用いても吊ビーム１４の位置に変化はないのでケーシングとの配置関係を考慮する必要はない。また第６実施形態では吊ビーム１４に溝４０を穿っているが、集塵板１２に穿ってもよい。
【００２８】
本実施形態において、整流板３０、及び遮蔽治具３２、矩形シンク４２等は一定の強度を有し、水に対して腐食しにくいものであれば材料において特に限定されることはなく、金属、プラスチック、セラミックス等が利用できる。
【産業上の利用可能性】
【００２９】
集塵板全面を洗浄水で濡らす湿式電気集塵装置の流水機構として利用できる。
【図面の簡単な説明】
【００３０】
【図１】スリットノズルが用いられる湿式電気集塵装置の斜視図である。
【図２】集塵版を吊ビームに固定したときの概略図である。
【図３】第１実施形態を構成する遮蔽治具の概略図である。
【図４】第１実施形態を構成する遮蔽治具の側面図である。
【図５】第1実施形態を構成する整流板の実装概略図である。
【図６】第1実施形態の全体的な実装概略図である。
【図７】図６のＡ−Ａ線断面図である。
【図８】第２実施形態の全体的な実装概略図である。
【図９】図８のＡ−Ａ線断面図である。
【図１０】第３実施形態を構成するシンクの概略図である
【図１１】第３実施形態の実装概略断面図である。
【図１２】第４実施形態の整流手段付きワッシャの概略図である。
【図１３】第４実施形態の整流手段付きワッシャに脚をつけた場合の概略図である。
【図１４】第４実施形態の整流手段付きワッシャに脚をつけた場合の概略側面図である。
【図１５】第４実施形態の整流手段付きワッシャの実装概略断面図である。
【図１６】第５実施形態の整流用半割ガイドの概略図である。
【図１７】第５実施形態の整流用半割ガイドをシンクに接合した場合の概略図である。
【図１８】第５実施形態の整流用半割ガイド付きシンクの実装概略断面図である。
【図１９】第６実施形態の吊ビームに穿たれた溝の概略図である。
【符号の説明】
【００３１】
１０………湿式電気集塵装置、１２………集塵板、１２ａ………腹部、１２ｂ………脇部、１４………吊ビーム、１６………ボルト、１８………放電電極、２０………給水ポンプ、２２………配管、２４………スリットノズル、２６………洗浄水、２８………開放口、３０………整流板、３２………遮蔽治具、３２ａ………遮蔽板、３２ｂ………遮蔽板保持部、３２ｃ………吊ビーム引掛部、３４………シンク、３６………排出口、３８………隙間、４０………溝、４２………矩形シンク、４４………波状排出口、４６………座金、５０………整流手段付ワッシャ、５０ａ………ワッシャ、５０ｂ………脚、５０ｃ………ガイド、５２………整流用半割ガイド５２、５２ａ………半割ワッシャ、５２ｂ………脚、５２ｃ………ガイド。
【図１】
0004730350.tif 000002
【図２】
0004730350.tif 000003
【図３】
0004730350.tif 000004
【図４】
0004730350.tif 000005
【図５】
0004730350.tif 000006
【図６】
0004730350.tif 000007
【図７】
0004730350.tif 000008
【図８】
0004730350.tif 000009
【図９】
0004730350.tif 000010
【図１０】
0004730350.tif 000011
【図１１】
0004730350.tif 000012
【図１２】
0004730350.tif 000013
【図１３】
0004730350.tif 000014
【図１４】
0004730350.tif 000015
【図１５】
0004730350.tif 000016
【図１６】
0004730350.tif 000017
【図１７】
0004730350.tif 000018
【図１８】
0004730350.tif 000019
【図１９】
0004730350.tif 000020